(57)【要約】【課題】偏光フィルムの検査の際、偏光フィルムの平坦度を一定に維持することができる偏光フィルム検査用治具に関するものである。  【解決手段】偏光フィルム検査用治具は設備の前／後方向に移動可能なベースプレート(２０)と、ベースプレートの上部に設置され、光を照射するためのバックライト(２２)と、ベースプレートの上部に設置される偏光フィルム固定装置(３０)と、ベースプレートを支持する支持フレーム(４０)と、支持フレームの内側に設置されたＬＭガイドに沿って上／下方向に移動可能な移動プレート(５０)と、移動プレートを所定の方向に移動させるための移送手段と、から構成される。【選択図】    図１ａ
2006308557.tif 000002
【特許請求の範囲】
【請求項１】
所定の方向に移動可能なベースプレート、
前記ベースプレートの上部に設置され、光を照射するためのバックライトと、
前記ベースプレートの上部に設置される偏光フィルム固定装置と、
前記ベースプレートを支持する支持フレームと、
前記支持フレームの内側に設置されたライナー移動（ＬＭ）ガイドに沿って上／下方向に移動可能な移動プレートと、
前記移動プレートを所定の方向に移動させるための移送手段と、から構成されて、
前記偏光フィルム固定装置は偏光フィルムを支持するための複数個のホルダーと、前記ホルダーが嵌合され設置される回転ガイドと、前記回転ガイドを支持するための複数個のガイド固定部と、前記ガイド固定部を支持するためにベースプレートに固定された複数個のブラケットと、前記回転ガイドを回転させるための駆動手段と、から構成されることを特徴とする偏光フィルム検査用治具。
【請求項２】
前記回転ガイドはその一側にギアの歯部が設置されて、前記ギアの歯部は駆動手段のギアに噛み合うように構成されたことを特徴とする請求項１に記載の偏光フィルム検査用治具。
【請求項３】
前記回転ガイドはその所定の部位に複数個の回転ブラケットが設置されて、前記回転ブラケットの一側にはプッシャーが設置されることを特徴とする請求項１または２に記載の偏光フィルム検査用治具。
【請求項４】
前記プッシャーの上側にはスプリングを介在したガイドピンが設置されることを特徴とする請求項３に記載の偏光フィルム検査用治具。
【請求項５】
所定の方向に移動可能なベースプレート、
前記ベースプレートの上部に設置され、光を照射するためのバックライトと、
前記ベースプレートの上部に設置されて、ホルダーと、前記ホルダーが嵌合される回転ガイドと、前記回転ガイドを支持するための複数個のガイド固定部と、前記ガイド固定部を支持するためにベースプレートに固定された複数個のブラケットと、前記回転ガイドを回転させるための駆動手段と、を具備した偏光フィルム固定装置と、
前記ベースプレートを支持する支持フレームと、
前記支持フレームの内側に設置されたライナー移動ガイドに沿って上／下方向に移動可能な移動プレートと、
前記移動プレートを所定の方向に移動させるための移送手段と、
から構成されることを特徴とする偏光フィルム検査用治具。
【請求項６】
前記偏光フィルム固定装置のホルダーはその内側にガラスに偏光フィルムを付着設置して、その外側に複数個の取っ手が設置されることを特徴とする請求項５に記載の偏光フィルム検査用治具。
【請求項７】
前記回転ガイドはその一側にギアの歯部が設置されて、前記ギアの歯部は駆動手段のギアに噛み合うように構成されたことを特徴とする請求項５に記載の偏光フィルム検査用治具。
【請求項８】
前記回転ガイドはその一側に原点センサーが設置されることを特徴とする請求項５または７に記載の偏光フィルム検査用治具。
【発明の詳細な説明】
【技術分野】
【０００１】
本発明は、偏光フィルム検査用治具に係り、特に偏光フィルムの検査の際、偏光フィルムの平坦度を一定に維持することができる偏光フィルム検査用治具に関する。
【背景技術】
【０００２】
図６は従来の液晶表示パネルの構成の一例を示した断面図である。従来の液晶表示パネル(１０)は図６に示されたように、液晶セル(１２)の両面に偏光フィルム(１)が接合されるように構成されている。
【０００３】
前記液晶表示パネル(１０)は小型化、薄型化が可能で、同時に消費電力が小さいという利点があるので小型のビデオカメラ、携帯電話、カーナビゲーションシステム、パーソナルコンピュータ等に広く使用されている。
【０００４】
このような液晶表示パネルの製造に使用される偏光フィルムの構成は用途によって異なるが、例えば偏光子フィルムの一方面又は両面に接着剤層とその上に積層された保護フィルムが設置された積層構造となっている。
【０００５】
このような偏光フィルムはその表面又は内部(即ち、偏光子フィルム、接着剤層、保護フィルム材料の内部、積層界面)に気泡が存在すると画像の欠陥、画質の低下の原因となるので、偏光フィルムの製造の段階でこのような欠陥を検査する必要がある。
【０００６】
偏光フィルムの気泡を検出する検査法は、偏光フィルムの一方面に光を斜めに照射して、その反射する光を観察して検査する方法と、偏光フィルムの一方面に光を照射して、反対面から前記フィルムの透過する光を観察する検査法が公知である。
【発明の開示】
【発明が解決しようとする課題】
【０００７】
ところで、偏光フィルムの一方面に光を照射してフィルムを透過する光を反対面から観察して検査する方法は検出されない気泡が多く存在する問題点がある。
【０００８】
さらに、偏光フィルムの一側面に光源部を設置して、その反対側面に検出部を設置して構成すると、光源部と検出部の間でフィルムが偏平ではない状態になるので幅方向の波立ち現象、搬送中の振動による不均一等が生じて検査部の画像の精度が低下される問題点を内包している。
【０００９】
特に、最近では液晶ディスプレーの画質が向上され明るくて鮮明な画像が形成されるので、従来では問題にならなかった欠陥もディスプレーの欠陥に含まれる。また、前記の方法は異物とその周囲の気泡、いわゆる核のない気泡は判別しやすいが、異物を同伴しない気泡、いわゆる核のある気泡は検出されにくいという問題点を持っている。
【００１０】
そして、最近偏光フィルムの検査の際、小さい欠陥も検出できる精度が要求されているので前記の検査法ではこのような要求に対応することができない問題点がある。
【００１１】
そこで、本発明は前記のような問題点を解決するためのもので、自動に偏光フィルムを検査できる偏光フィルム検査用治具を提供することにある。
【００１２】
本発明の他の目的は、偏光フィルムの光抜け現象の検査を正確に行うことができる偏光フィルム検査用治具を提供することにある。
【課題を解決するための手段】
【００１３】
このような目的を達成するための本発明の偏光フィルム検査用治具は、所定の方向に移動可能なベースプレートと、ベースプレートの上部に設置され、光を照射するためのバックライトと、ベースプレートの上部に設置される偏光フィルム固定装置と、ベースプレートを支持する支持フレームと、支持フレームの内側に設置されたＬＭガイドに沿って上／下方向に移動可能な移動プレートと、移動プレートを所定の方向に移動させるための移送手段と、から構成されることを特徴とする。  
また、本発明の偏光フィルム固定装置は偏光フィルムを支持するための複数個のホルダーと、前記ホルダーが嵌合され設置される回転ガイドと、前記回転ガイドを支持するための複数個のガイド固定部と、前記ガイド固定部を支持するためにベースプレートに固定された複数個のブラケットと、前記回転ガイドを回転させるための駆動手段と、から構成される点にある。
【発明の効果】
【００１４】
本発明の偏光フィルム検査用治具によれば、偏光フィルムを受動ではなく自動で処理することによって作業の効率を向上させることができる利点がある。  
また、本発明の偏光フィルム検査用治具は偏光フィルムを用意に検査できると共に光抜け現象の検査をより正確に行える利点がある。
【発明の実施の形態】
【００１５】
以下、本発明の偏光フィルム検査用治具について添付された図面を用いて詳しく説明する。
【００１６】
まず、図１ａ及び図１ｂは本発明の偏光フィルム検査用治具の構造を示した斜視図である。
【００１７】
本発明に適用された偏光フィルム検査用治具は図１ａ及び図１ｂに示されたように、本発明の偏光フィルム検査用治具が適用される偏光フィルム検査設備(図示せず)で前／後方向に移動可能なベースプレート(２０)と、前記ベースプレート(２０)の上部に設置されて、偏光フィルムを固定するための偏光フィルム固定装置(３０)と、前記ベースプレート(２０)を支持する支持フレーム(４０)と、前記支持フレーム(４０)の内側に設置され、上／下方向に移動可能な移動プレート(５０)と、前記移動プレート(５０)を所定の方向に移動させるためのシリンダー(図示せず)と、から構成される。
【００１８】
前記ベースプレート(２０)の上部中央にはバックライト(２２)が設置されて、前記バックライト(２２)の上部に偏光フィルム固定装置(３０)の回転ガイド(３３)が設置される。
【００１９】
前記偏光フィルム固定装置(３０)は図１ａ及び図１ｂ及び図２に示されたように、偏光フィルム(３１)を支持するための複数個のホルダー(３２ａ、３２ｂ)と、前記ホルダー(３２ａ、３２ｂ)が嵌合され設置される回転ガイド(３３)と、前記回転ガイド(３３)を支持するための複数個のガイド固定部(３４)と、前記ガイド固定部(３４)を支持するためにベースプレート(２０)に固定された複数個のブラケット(３６)と、前記回転ガイド(３３)を回転させるための駆動手段(３８)と、から構成される。前記駆動手段(３８)は回転モータの一種である。
【００２０】
前記回転ガイド(３３)の所定の部位には複数個の回転ブラケット(７０)が設置されて、前記回転ブラケット(７０)の一側にはプッシャー(８０)が設置されて、前記プッシャー(８０)の上側にはガイドピン(８２)が設置される。符号８４(説明せず)はスプリングである。
【００２１】
そして、前記回転ガイド(３３)の一側にはギアの歯部(３５)が設置される。前記ギアの歯部(３５)は駆動手段(３８)の軸(図示せず)に連結されたギア(３７)に噛合される。前記駆動手段(３８)には減速機(図示せず)が連結設置され駆動手段(３８)の回転を２０：１程度に減速することができるようになっている。
【００２２】
一方、前記移動プレート(５０)は支持フレーム(４０)の内側に設置されたＬＭ(ライナー移動：Linear Motion)ガイド(４２)に沿って上／下方向に移動可能に構成されて、偏光フィルム(３１)の切り替えの際、ベースプレート(２０)を前／後方向に移動可能なようにして偏光フィルム(３１)の切り替えを用意に行うことができるように構成される。
【００２３】
符号２１(説明せず)はノブとして、照明／フィルムの切り替えの際ノブを調整して解除させて、ベースプレート(２０)を前に抜き取って照明／フィルムを切り替えて、再び挿入した後ノブを調整して締結する。そして、符号４３(説明せず)は原点センサーである。
【００２４】
このように構成された本発明の偏光フィルム検査用治具の動作について説明する。
【００２５】
まず、使用者が図３ａに示されたように、偏光フィルム(３１)を複数個のホルダー(３２ａ、３２ｂ)の間に挟む。そして、ガイドピン(８２)を押すとプッシャー(８０)が押される。この際、偏光フィルム(３１)は張力を受け図３ｂに示されたように、張りを持つようになって所定の軸角度を持つ。
【００２６】
一方、テストされる偏光フィルム(以下、製品と称する)が回転ガイド(３３)と所定の間隔を置いて上方に設置される。また、製品とカメラの距離は約３１０mmを維持する。このような状態(即ち、前記製品がアップ／ダウンシリンダー(９０)によって所定の位置に達したら)で、バックライト(２２)によって偏光フィルム(３１)に光を照射して、駆動手段(３８)を動作させて回転ガイド(３３)を回転させながら最適の軸角度を探した後、回転ガイド(３３)を停止させる。前記偏光フィルム(３１)とバックライト(２２)間の距離は約１００mmを維持する。
【００２７】
回転ガイド(３３)が停止した状態で、使用者は回転ガイド(３３)の上部に設置されたカメラ(図示せず)を通じてモニタ(図示せず)に現れたスクラッチ、粘着剤、気泡、異物等の光抜け現象の検査を行う。
【００２８】
一方、本発明の他の実施例は図４に示されたように、前述した偏光フィルム検査用治具との差異点は偏光フィルム固定装置(３０)であるのでこれについて説明する。
【００２９】
本発明の他の実施例による偏光フィルム検査用治具の偏光フィルム固定装置(３０)は偏光フィルム(３１)を支持するためのホルダー(３２)と、前記ホルダー(３２)が嵌合され設置される回転ガイド(３３)と、前記回転ガイド(３３)を支持するための複数個のガイド固定部(３４)と、前記ガイド固定部(３４)を支持するためにベースプレート(２０)に固定された複数個のブラケット(３６)と、前記回転ガイド(３３)を回転させるための駆動手段(３８)と、から構成される。前記駆動手段(３８)は回転モータの一種である。
【００３０】
前記ホルダー(３２)の外側にはこれを把持するための複数個の取っ手(４２)が所定の間隔を置いて設置される。
【００３１】
前記回転ガイド(３３)の上部一側には原点センサー(４３)が設置されて、下部には複数個の回転ブラケット(７０)が設置される。そして、回転ガイド(３３)の一側にはギアの歯部(３５)が設置される。前記ギアの歯部(３５)は駆動手段(３８)の軸(図示せず)に連結されたギア(３７)に噛合される。
【００３２】
一方、前記移動プレート(５０)は支持フレーム(４０)の内側に設置されたＬＭガイド(４２)に沿って上／下方向に移動可能に構成されて、偏光フィルム(３１)の切り替えの際、ベースプレート(２０)を所定の方向に前／後方向に移動可能なようにして偏光フィルム(３１)の切り替えを用意に行うことができる。
【００３３】
このように構成された本発明の他の実施例による偏光フィルム検査用治具の動作について説明する。
【００３４】
先に、使用者が図４に示されたように、偏光フィルム(３１)をホルダー(３２)に挟み、ホルダー(３２)を回転ガイド(３３)の内側に設置する。このように設置された状態で、製品が回転ガイド(３３)の上部の所定の位置に達したらバックライト(２２)によって偏光フィルム(３１)に光を照射して、駆動手段(３８)を動作させて回転ガイド(３３)を回転させながら最適の軸角度を探した後、回転ガイド(３３)を停止させる。即ち、製品に対してホルダー(３２)に設置された偏光フィルム(３１)の中心が一致された時停止させる。
【００３５】
前述した実施例と同様に回転ガイド(３３)が停止された状態で、使用者は回転ガイド(３３)の上部に設置されたカメラ(図示せず)を通じてモニタ(図示せず)に現れたスクラッチ、粘着剤、気泡、異物等の光抜け現象の検査を行うことになる。
【図面の簡単な説明】
【００３６】
【図１ａ】本発明の偏光フィルム検査用治具の斜視図。
【図１ｂ】本発明の偏光フィルム検査用治具の斜視図。
【図２】本発明の要部であるホルダーの斜視図。
【図３ａ】本発明の要部である偏光フィルム固定装置の初期装着状態を示した断面図。
【図３ｂ】本発明の要部である偏光フィルム固定装置の作業調整状態を示した断面図。
【図４】本発明の偏光フィルム固定装置の他の実施例。
【図５】本発明の要部である偏光フィルム固定装置の作業状態を示した断面図。
【図６】従来の偏光フィルムを使用する液晶表示パネルの構成例を示した断面図。
【符号の説明】
【００３７】
20：ベースプレート
30：偏光フィルム固定装置
33：回転ガイド
34：ガイド固定部
36：ブラケット
38：駆動手段
40：支持フレーム
50：移動プレート
【図１ａ】
2006308557.tif 000003
【図１ｂ】
2006308557.tif 000004
【図２】
2006308557.tif 000005
【図３ａ】
2006308557.tif 000006
【図３ｂ】
2006308557.tif 000007
【図４】
2006308557.tif 000008
【図５】
2006308557.tif 000009
【図６】
2006308557.tif 000010